(57)【要約】【課題】  電磁弁の電磁部の発熱を抑制することができる油圧制御装置を提供する。【解決手段】  油圧制御装置１には、電磁弁４８ａの電磁部ＳＬ１近傍に、クーラーＣから送られる冷却された油が通る冷却油路９（９２，９３）が形成されている。このように冷却油をバルブボディ２，３，４内に取り込んで電磁弁の電磁部周辺に送り込んでいるので、電磁部がバルブボディ内のオイルレベルＯＬよりも上部に配置される場合であっても、かかる電磁部を常時冷却しておくことができる。このため、電磁部の発熱を抑制して電磁部に接続されるコネクタ等の樹脂部品の長寿命化を図ることができる。【選択図】  図５
2010071335.tif 000002
【特許請求の範囲】
【請求項１】
自動変速機の変速機構部を内包する自動変速機ケースの側面に搭載される油圧制御装置において、
電磁部を有する複数の電磁弁と、
該電磁弁のうち少なくとも1つの電磁弁が固定される面、及び前記変速機構部に油を供給する油路形成部が形成される前記面とは反対の面を有するバルブボディとを有し、
前記少なくとも１つの電磁弁は、前記バルブボディを収納するバルブボディカバーと前記自動変速機ケースとの両者によって形成される油溜りの油面、もしくは前記バルブボディカバーと前記自動変速機ケースのそれぞれによって形成される油溜りの油面よりも上方に配置されると共に、前記少なくとも１つの電磁弁の電磁部に対応する前記油路形成部に、クーラーから送られる冷却された油が通る冷却油路が形成されていることを特徴とする油圧制御装置。
【請求項２】
請求項１において、前記自動変速機は、通常走行モードと緊急走行モードを有しており、前記少なくとも一つの電磁弁は、閉弁時は通電され、開弁時に非通電される電磁弁であり、前記通常走行モード時は閉弁し、前記緊急走行モード時は開弁することを特徴とする油圧制御装置。
【請求項３】
請求項１又は２において、前記油面は、前記油圧制御装置に油圧を供給するオイルポンプが駆動中の油面の高さであることを特徴とする油圧制御装置。
【発明の詳細な説明】
【技術分野】
【０００１】
本発明は、自動変速機の油圧制御装置に関し、特に自動変速機に横付けされる油圧制御装置に関する。
【背景技術】
【０００２】
特許文献１に記載された自動変速機の油圧制御装置のバルブボディにおいては、プライマリレギュレータバルブやオンオフソレノイドバルブ等の電磁弁が配置され、さらにそれらに連通する油路が形成されている。このようなバルブボディは、自動変速機の変速機構を内包する自動変速機ケースの下側や側方に形成した壁面に取り付けられる。
【特許文献１】特開２００６−１０５３５６号公報（段落〔０００３〕、〔０００９〕、〔００１０〕、図１）
【発明の開示】
【発明が解決しようとする課題】
【０００３】
特許文献１に記載のバルブボディを自動変速機ケースの下側に形成した壁面に取り付けた場合は、電磁弁の電磁部（コイル部）は油に常に浸されて冷却されているため、ＡＴＦの温度以上に発熱してしまうことはない。ところが、バルブボディを自動変速機ケースの側方に形成した壁面に取り付けた場合は、電磁弁の電磁部がバルブボディを収納するバルブボディカバーと自動変速機ケースとの両者によって形成される油溜りの油面、もしくはバルブボディカバーと自動変速機ケースのそれぞれによって形成される油溜りの油面（以下、単にオイルレベルという）よりも上方に配置されることがあり、油の温度以上に発熱してしまう虞がある。特に常時通電する様な使われ方をする電磁弁は通電状態が長時間続くと、電磁部に接続されるコネクタ等の樹脂部品が早期に劣化するおそれがある。
【０００４】
よって本発明は、自動変速機ケースの側面にバルブボディを取り付けた場合であっても、電磁弁の電磁部の発熱を抑制することができる油圧制御装置を提供することである。
【課題を解決するための手段】
【０００５】
上記の課題を解決するため、請求項１に係る発明の構成上の特徴は、自動変速機の変速機構部を内包する自動変速機ケースの側面に搭載される油圧制御装置において、電磁部を有する複数の電磁弁と、該電磁弁のうち少なくとも1つの電磁弁が固定される面、及び前記変速機構部に油を供給する油路形成部が形成される前記面とは反対の面を有するバルブボディとを有し、前記少なくとも１つの電磁弁は、前記バルブボディを収納するバルブボディカバーと前記自動変速機ケースとの両者によって形成される油溜りの油面、もしくは前記バルブボディカバーと前記自動変速機ケースのそれぞれによって形成される油溜りの油面よりも上方に配置されると共に、前記少なくとも１つの電磁弁の電磁部に対応する前記油路形成部に、クーラーから送られる冷却された油が通る冷却油路が形成されていることである。
【０００６】
請求項２に記載の発明の構成上の特徴は、請求項１において、前記自動変速機は通常走行モードと緊急走行モードを有しており、前記少なくとも一つの電磁弁は、閉弁時は通電され、開弁時に非通電される電磁弁であり、前記通常走行モード時は閉弁し、前記緊急走行モード時は開弁することである。
【０００７】
請求項３に記載の発明の構成上の特徴は、請求項１又は２において、前記油面は、前記油圧制御装置に油圧を供給するオイルポンプが駆動中の油面の高さであることである。
【発明の効果】
【０００８】
上記のように構成した請求項１に係る発明においては、電磁弁の電磁部がバルブボディ内のオイルレベルよりも上方に配置される場合であっても、冷却油をバルブボディ内に取り込んでかかる電磁弁の電磁部周辺に送り込んでいるので、かかる電磁部を常時冷却しておくことができる。このため、電磁部の発熱を抑制して電磁部に接続されるコネクタ等の樹脂部品の長寿命化を図ることができる。
【０００９】
上記のように構成した請求項２に係る発明においては、電磁弁がノーマルオープンソレノイド弁の場合で、通常走行モード時において通電され続けて閉弁状態が長時間続くと電磁部が過熱するおそれがあるが、冷却油を電磁部周辺に送り込んでいるので電磁部の過熱を防止することができ、電磁部に接続されるコネクタ等の樹脂部品の長寿命化を図ることができる。
【００１０】
上記のように構成した請求項３に係る発明においては、オイルポンプが駆動しているときの油溜りの油面よりも上方に配置される電磁弁の電磁部周辺に冷却油を送り込んでいるので、過熱し易い該電磁部を冷却することができ、かかる電磁部に接続されるコネクタ等の樹脂部品の長寿命化を図ることができる。
【発明を実施するための最良の形態】
【００１１】
以下、図面に基づいて本発明の実施形態を説明する。図１は、本発明に係るバルブボディを備えた油圧制御装置により制御される自動変速機の一例を示すスケルトン図で、この自動変速機１０は、図略のエンジンが回転連結された流体伝動装置としてのトルクコンバータ１１及びトルクコンバータ１１から入力軸２０に入力された入力回転を変速して出力軸２１に出力する前進６速、後進１速の変速機構１２から構成されている。トルクコンバータ１１は、ポンプインペラ１３、タービンランナ１４、ステータ１５、ステータ１５を変速機構１２を内包する自動変速機ケース１６に一方向の回転のみ許容して支承するワンウェイクラッチ１７、ワンウェイクラッチ１７のインナレースを自動変速機ケース１６に固定するステータシャフト１８を備えている。１９はポンプインペラ１３とタービンランナ１４とを直結するロックアップクラッチである。
【００１２】
変速機構１２の減速プラネタリギヤＧ１は、シングルピニオン型で、第１リングギヤＲ１が入力軸２０に連結され、第１サンギヤＳ１がケース１６に固定されて反力を受け、第１キャリヤＣ１に支承されたピニオンが第１リングギヤＲ１と第１サンギヤＳ１とに噛合されている。変速機構１２の主要部である変速プラネタリギヤＧは、ダブルピニオン型で、大径の第２サンギヤＳ２、小径の第３サンギヤＳ３、第２サンギヤＳ２に直接噛合するとともに第３サンギヤＳ３にピニオンＰ３を介して噛合するロングピニオンＰ２、ロングピニオンＰ２及びピニオンＰ３を支持する第２キャリヤＣ２（Ｃ３）及びロングピニオンＰ２と噛合し出力軸２１に連結された第２リングギヤＲ２（Ｒ３）から構成されている。
【００１３】
減速プラネタリギヤＧ１の第１キャリヤＣ１が第１クラッチＣ−１を介して変速プラネタリギヤＧの第３サンギヤＳ３に連結されるとともに、第３クラッチＣ−３を介して第２サンギヤＳ２に連結されている。変速プラネタリギヤＧの第２サンギヤＳ２は第１ブレーキＢ−１に連結され、第２キャリヤＣ２（Ｃ３）は第２クラッチＣ−２を介して入力軸２０に連結されるとともに、ケース１６に支持されたワンウェイクラッチＦ−１及び第２ブレーキＢ−２に並列に連結されている。第１ブレーキＢ−１は、第２サンギヤＳ２の回転を選択的に規制する第１回転規制手段を構成し、ワンウェイクラッチＦ−１及び第２ブレーキＢ−２は、第２キャリヤＣ２（Ｃ３）の回転を選択的に規制する第２回転規制手段を構成する。
【００１４】
次に、第１クラッチＣ−１の油圧駆動部に給排される出力油圧を送出する油圧サーボ装置２６を図２、図３に基づいて説明する。２５は運転者がシフトレバーを操作してニュートラルＮ、前進走行レンジＤ、後進走行レンジＲに手動で切換えるマニュアルバルブで、ポートＰＬにオイルポンプから油圧が圧力制御弁４７によって所定圧に制御されたライン圧が供給されている。マニュアルバルブ２５が前進走行レンジにシフトされたときポートＰＬと連通されるポートＤには、第１クラッチＣ−１の油圧駆動部に供給される出力油圧を出力する油圧サーボ装置２６の調圧弁２７の入力ポート２８及び切換弁２９のライン圧ポート３０が夫々接続されている。３１はオイルポンプＰからのライン圧が減圧弁を介して供給されるソレノイドモジュレータバルブで、ライン圧よりも低い圧に制御した出力油圧を油圧サーボ装置２６のリニアソレノイド調圧弁３２の入力ポート３３及び切換弁２９のポート３４に供給する。
【００１５】
リニアソレノイド調圧弁３２は、リニアソレノイドＳＬＣ−１が後述する油圧制御装置から供給される制御信号である制御電流に応じて作動して弁体３６を圧縮バネ３７のバネ力とバランスする位置まで移動し、入力ポート３３から流入する所定圧に制御された油圧を絞って油圧制御装置からの制御電流の増大につれて減少する制御油圧を出力ポート３８に生成する。リニアソレノイド調圧弁３２の出力ポート３８は、調圧弁２７の制御ポート３９に接続されるとともに、切換弁２９の切替ポート４０に接続されている。調圧弁２７は、弁体４９が制御ポート３９から供給されて弁体４０の大径端面に作用するリニアソレノイド調圧弁３２の制御油圧による軸力が弁体４９の小径端面に作用する圧縮バネ４１のバネ力とフィードバック油圧による軸力とが釣り合う位置に移動され、入力ポート２８に供給されたライン圧を制御電流の増大につれて減少するリニアソレノイド調圧弁３２の制御油圧に応じた出力油圧Ｐｃを出力し、出力ポート４２から切換弁２９の入力ポート４３に供給する。
【００１６】
切換弁２９は、弁体４５が図示右半分位置にシフトされると、入力ポート４３を出力ポート４４に連通し、調圧弁２７からの出力油圧Ｐｃを第１クラッチＣ−１の油圧駆動部に供給し、弁体４５が図示左半分位置にシフトされると、ライン圧ポート３０を出力ポート４４に連通し、マニュアルバルブ２５のポートＤからのライン圧を第１クラッチＣ−１の油圧駆動部に供給し、第１クラッチＣ−１をライン圧によって係合状態に維持する。前進６段の各変速段を成立するために係脱される第１乃至第３クラッチＣ−１〜Ｃ−３及び第１ブレーキＢ−１の各油圧駆動部に油圧を給排する油圧サーボ装置２６の中、第１クラッチＣ−１以外の係合要素用の油圧サーボ装置２６も第１クラッチＣ−１用のものと同様の構成であるので、図３に示すこれら係合要素を係脱する油圧回路においては、各係合要素に油圧を給排する油圧サーボ装置２６、調圧弁２７、切換弁２９及びリニアソレノイド調圧弁（電磁弁）３２に同一参照番号を付して表示し、リニアソレノイド（電磁部）については、ＳＬの後に各係合要素を示す参照符号を付加してＳＬＣ−１，ＳＬＣ−２，ＳＬＣ−３，ＳＬＢ−１，ＳＬＴ，ＳＬ１，ＳＬ２と表示する。
【００１７】
図３に示すように、オイルポンプＰからの油圧が圧力制御弁４７によって所定圧に制御されたライン圧が供給されるマニュアルバルブ２５のポートＤは、カットオフ弁５０を介して第１クラッチＣ−１用の油圧サーボ装置２６の調圧弁２７の入力ポート２８及び切換弁２９のライン圧ポート３０に並列に接続されている。カットオフ弁５０の制御ポートには、第２クラッチＣ−２に供給される油圧及び第３クラッチＣ−３又は第１ブレーキＢ−１に供給される油圧が供給され、第２クラッチＣ−２に供給される油圧が高く、且つ第３クラッチＣ−３又は第１ブレーキＢ−１に供給される油圧が高いとき、ポートＤから第１クラッチＣ−１用の油圧サーボ装置２６への油圧の供給を遮断する。マニュアルバルブ２５のポートＤは、カットオフ弁５１を介して第２クラッチＣ−２用の油圧サーボ装置２６の調圧弁２７の入力ポート２８及び切換弁２９のライン圧ポート３０に並列に接続されている。
【００１８】
カットオフ弁５１の制御ポートには、第２クラッチＣ−２に供給される油圧及びソレノイド（電磁部）ＳＬ１を有するソレノイド弁（電磁弁）４８ａの出力油圧が供給され、第２クラッチＣ−２に供給される油圧が高いとき、又はソレノイド弁４８ａの出力油圧が高いとき、ポートＤから第２クラッチＣ−２用の油圧サーボ装置２６への油圧の供給を許容する。なお、ソレノイド弁４８ａのソレノイドＳＬ１には、閉弁時は通電され、開弁時に非通電されるノーマルオープンソレノイド弁である。
【００１９】
第３クラッチＣ−３及び第１ブレーキＢ−１用のサーボ装置２６の切換弁２９は、リニアソレノイド調圧弁３２のソレノイドＳＬＣ−３又はＳＬＢ−１が付勢されて出力ポート３８からポート４０に供給される圧力が低くなると連通される弁５２，５３が付加されている。圧力制御弁４７からライン圧を供給されるカットオフ弁５４は弁５２，５３に並列に接続され、弁５３は第３クラッチＣ−３用の油圧サーボ装置２６の調圧弁２７の入力ポート２８及び切換弁２９のライン圧ポート３０に並列に接続され、弁５２は第１ブレーキＢ−１用の油圧サーボ装置２６の調圧弁２７の入力ポート２８及び切換弁２９のライン圧ポート３０に並列に接続されている。
【００２０】
５５はソレノイドＳＬＣ−３を有するリニアソレノイド調圧弁３２の出力ポート３８と第３クラッチＣ−３用の調圧弁２７の制御ポート３９及び切換弁２９の切換ポート４０との間に接続されたカットオフ弁で、カットオフ弁５５の制御ポートには、第２クラッチＣ−２に供給される油圧及び第１ブレーキＢ−１に供給される油圧が供給され、第２クラッチＣ−２及び第１ブレーキＢ−１に供給される油圧が高いとき、出力ポート３８から制御ポート３９及び切換ポート４０への油圧の供給を遮断する。
【００２１】
５６はソレノイドＳＬＢ−１を有するリニアソレノイド調圧弁３２の出力ポート３８と第１ブレーキＢ−１用の調圧弁２７の制御ポート３９及び切換弁２９の切換ポート４０との間に接続されたカットオフ弁で、カットオフ弁５６の制御ポートには、カットオフ弁５５の出力側が接続され、カットオフ弁５５の出力側の油圧が高いとき、出力ポート３８から制御ポート３９及び切換ポート４０への油圧の供給を遮断する。なお、５７は第３クラッチＣ−３及び第１ブレーキＢ−１の油圧を、お互いを連通することなくカットオフ弁５０の制御ポートに伝達するバルブである。
【００２２】
第２ブレーキＢ−２用の油圧サーボ装置は、油圧制御弁５９１、切換弁５９、カットオフ弁５８を介してマニュアルバルブ２５のポートＤに連通されている。カットオフ弁５８の制御ポートには、第２クラッチＣ−２に供給される油圧及び第３クラッチＣ−３又は第１ブレーキＢ−１に供給される油圧が供給され、第２クラッチＣ−２に供給される油圧、第３クラッチＣ−３、又は第１ブレーキＢ−１に供給される油圧のいずれかの油圧が高いとき、ポートＤから第２ブレーキＢ−２用の油圧サーボ装置への油圧の供給を遮断する。切換弁５９は、制御ポートにソレノイド弁（電磁弁）４８ｂのソレノイド（電磁部）ＳＬ２が付勢されて出力される信号圧が供給され、カットオフ弁５８を介して連通しているマニュアルバルブ２５のポートＤまたはマニュアルバルブ２５のポートＲから第２ブレーキＢ−２用の油圧サーボ装置への油圧の供給を切換えている。なお、ソレノイド弁４８ｂのソレノイドＳＬ２には、閉弁時は非通電され、開弁時に通電されるノーマルクローズソレノイド弁が使用される。
【００２３】
また油圧制御弁５９１の制御ポートには、ソレノイドＳＬＴから供給される信号圧及び後退レンジにシフトしたときにポートＰＬと連通するマニュアルバルブ２５のポートＲから供給される油圧が供給され、前進レンジ選択時にはソレノイドＳＬＴで第２ブレーキＢ−２用の油圧サーボ装置へ供給する油圧を調圧し、後進レンジ選択時には、マニュアルバルブ２５のポートＲから油圧が制御ポートに供給されることによって、油圧制御弁５９１を油圧供給状態に保持すると共に、ソレノイドＳＬ２から信号圧を切換弁５９に供給することによってマニュアルバルブ２５のポートＲを第２ブレーキＢ−２用の油圧サーボ装置に連通している。
【００２４】
以上のような構成によれば、高速段を成立する指令が送出（通常走行モード）されている場合に、油圧制御装置が故障を検出（緊急走行モード）すると、ソレノイド弁３２を印加し、ソレノイド弁３２への印加に基づき第２クラッチＣ−２用油圧サーボ装置２６へライン圧の供給を許容するカットオフ弁５１にソレノイド弁３２から出力油圧を供給し、次に、第１、第３クラッチＣ−１，Ｃ−３及び第１ブレーキＢ−１用油圧サーボ装置２６のうちソレノイドがオン状態にされているものを順次オフ状態にし、その後にソレノイド弁３２のソレノイドＳＬＣ−１，ＳＬＣ−３，ＳＬＢ−１をオフ状態にするので、油圧制御装置が故障を検出した時点での変速機構１２の変速段が変わらないように、変速機構１２の第１乃至第３クラッチＣ−１〜３及び第１ブレーキＢ−１に油圧を給排する複数の油圧サーボ装置２６のソレノイドＳＬＣ−１〜３，ＳＬＢ−１を全てオフ状態にすることができ、ソレノイドＳＬＣ−１〜３，ＳＬＢ−１をオフ状態にする過程でダウンシフトすることを確実に防止することができる。そして、不意に第２クラッチＣ−２への供給油圧が低下してしまっても、カットオフ弁５１の切換えを防止できるため、第２クラッチＣ−２の係合を維持することができる。
【００２５】
ここで、油圧制御装置１は、自動変速機１０に横付けされており、図４に示すバルブボディ（リアボディ２、ミドルボディ３及びフロントボディ４）、セパレートプレート５，６、自動変速機１０の変速機構１２に備えられている各クラッチ、ブレーキに油圧を供給するソレノイドＳＬＣ−１〜３，ＳＬＢ−１を有するソレノイド調圧弁３２等、図１に示すロックアップクラッチ１９を係脱させるロックアップ制御弁やスロットル制御弁等、及び各弁のソレノイドＳＬＵ，ＳＬＴ等から成り立っている。そして、バルブボディ２，３，４は、上記各弁等及びソレノイドＳＬＵ，ＳＬＴ，ＳＬＣ−１〜３，ＳＬＢ−１等を内包している。ここで、自動変速機１０に油圧制御装置１を横付けとは、自動変速機１０を車両に搭載したときに、自動変速機ケース１６の側面にバルブボディ２，３，４を収納したバルブボディカバー９０が取り付けられた状態であり、リアボディ２、ミドルボディ３及びフロントボディ４とセパレートプレート５，６が横方向に重なった状態である。バルブボディカバー９０のフロントボディ４側の開放面は、自動変速機ケース１６の開放側面と合わされており、バルブボディカバー９０内部と自動変速機ケース１６内部は繋がっている。
【００２６】
リアボディ２には、油路７１、位置決め用ボルト孔７３及び固定用ボルト挿通孔７４Ａ等が形成されている。ミドルボディ３には、油路６１、バルブ孔６２Ａ，６２Ｂ，６２Ｃ、位置決め用ボルト孔６３及び固定用ボルト挿通孔６４Ａ，６４Ｂ等が形成されている。フロントボディ４には、油路８１、ソレノイドＳＬＵ，ＳＬＴ，ＳＬＣ−１〜３，ＳＬＢ−１を有するソレノイドバルブが挿入配置されるバルブ孔、位置決め用ボルト締結孔８３及び固定用ボルト締結孔８４Ａ，８４Ｂ等が形成されている。そして、ミドルボディ３の両側にセパレートプレート５，６を介してリアボディ２とフロントボディ４が夫々配置されて組み合わされている。リアボディ２とミドルボディ３とでセパレートプレート５を挟むことにより、油路６１，７１でなる油路回路を形成する。また、ミドルボディ３とフロントボディ４とでセパレートプレート６を挟むことにより、油路６１，８１でなる油路回路を形成する。各ボディ２，３，４及び各セパレートプレート５，６は、位置決め用ボルト７，８Ａ，８Ｂにより締結されて一体化され、図略の固定用ボルトにより自動変速機１０に締結固定されている。
【００２７】
ソレノイドＳＬＣ−１〜３，ＳＬＢ−１，ＳＬＵ，ＳＬＴ，ＳＬ１，ＳＬ２は、横付けされた状態のバルブボディ２，３，４において図４及び図５（図示上部が天、図示下部が地）に示すような配置となっている。すなわち、図４に示すように、ソレノイドＳＬＣ−１〜３，ＳＬＢ−１は、フロントボディ４の自動変速機１０側にこの順で配置されている。なお、ソレノイドＳＬＵ，ＳＬＴ，ＳＬ１，ＳＬ２は、ソレノイドＳＬＣ−１〜３，ＳＬＢ−１の奥側に配置されているため、図４では示していない。図５に示すように、最も上部に、ソレノイドＳＬＵが配置され、その下にソレノイドＳＬＣ−１とソレノイドＳＬ１が並んで配置され、続いてソレノイドＳＬＴが配置され、その下にソレノイドＳＬＣ−２とソレノイドＳＬ２が並んで配置され、その下にソレノイドＳＬＣ−３が配置され、最も下にソレノイドＳＬＢ−１が配置されている。
【００２８】
バルブボディカバー９０内部は自動変速機ケース１６内部と繋がっており、油圧制御装置１は自動変速機ケース１６に横付けされるので、バルブボディカバー９０に囲まれた油溜り部のオイルレベルは自動変速機ケース１６内のオイルレベルＯＬと同じになり、図５に示すようにソレノイドＳＬＣ−１，ＳＬ１とソレノイドＳＬＣ−２，ＳＬ２とのほぼ間となる。このため、ソレノイドＳＬＵ，ＳＬＣ−１，ＳＬ１は、油により冷却されないことになる。特に、ソレノイド弁４８ａは、通常時は常時通電させ出力油圧をＯＦＦ状態にしておき、フェールセーフ時、つまり全てのソレノイドの電源がＯＦＦ状態の時に出力油圧をＯＮ状態に出来るように設計する必要がある。そのため、ソレノイド弁４８ａには、ノーマルオープンソレノイド弁が使用され、ソレノイドＳＬ１は、閉弁時は通電され、開弁時に非通電され、自動変速機１０の制御装置では、ソレノイド弁４８ａは長時間、閉弁状態で使用されるため、ソレノイドＳＬ１に接続されるコネクタ等の樹脂部品が早期に劣化するおそれがある。
そこで、バルブボディ２，３，４には、トルクコンバータ１１から送出されクーラーＣによって冷却された油がソレノイドＳＬＣ３，ＳＬＣ２，ＳＬＣ１，ＳＬＴ，ＳＬＵ，ＳＬ１と近接する位置を通るように配置された冷却油路９が形成されている。冷却油路９は、オイルレベルＯＬが低下した場合のために、ソレノイドＳＬＣ３，ＳＬＣ２とも近接する位置を通るように配置されている。
【００２９】
図５に示すように、自動変速機１０の油圧制御装置１は、ポンプＰから送出されトルクコンバータ１１を経由した油をクーラーＣで冷却し、冷却回路９を通して変速機構１２の潤滑部位を経由してオイルパンに送出するようになっている。即ち、冷却油路９は、クーラーＣと潤滑回路との間に直列に接続されている。このような冷却油路９は、フロントボディ４の下部に形成された油路入口９１からフロントボディ４内を二股に分かれて形成されている。一方の冷却油路９２は、ソレノイドＳＬＴ，ＳＬＵ，ＳＬ１に順次近接する位置を通過した後、変速機構１２の潤滑部位に連通するようにバルブボディ１のフロントボディ４内に形成されている。他方の冷却油路９３は、ソレノイドＳＬＣ−３，ＳＬＣ−２，ＳＬＣ−１に順次近接する位置を通過した後、変速機構１２の潤滑部位に連通するようにバルブボディ１のフロントボディ４内に形成されている。
【００３０】
以上のような冷却油路９によれば、クーラーで冷却された油をバルブボディ２，３，４内に取り込んで、バルブボディカバー９０内のオイルレベルＯＬよりも上部に配置されているソレノイド弁のソレノイド、特にフェールセーフ時に使用する為、通常時は通電状態となっているノーマルオープンソレノイド弁４８ａのソレノイドＳＬ１周辺に送り込んでいるので、かかるソレノイドを常時冷却しておくことができる。このため、オイルレベルＯＬよりも上部に配置されているソレノイド弁のソレノイド、特にソレノイドＳＬ１の発熱を抑制してかかるソレノイドに接続されるコネクタ等の樹脂部品の長寿命化を図ることができる。
【００３１】
また、冷却油路９を、クーラーＣと潤滑回路との間に直列に接続している。これにより、通常、クーラーＣで冷却した油を変速機構１２の潤滑部位を経由してオイルパンに戻すのであるが、本実施形態では、変速機構１２の潤滑部位を経由させる前に冷却油路９を循環させるだけであるので、バルブボディ２，３，４の消費油量の増加を抑制することができる。なお、トルクコンバータ１１を経由した油を冷却するクーラーＣを備えたクーラー回路に、冷却回路９と潤滑回路とを並列に接続するようにしてもよい。また、集中的に冷却したい部位のバルブボディ２，３，４に孔（オリフィス）を開け直接ソレノイドの電磁部に油をかけることにより選択的にソレノイドを冷却することができる。また、冷却油路９は冷却したいソレノイドに通じるのであれば、任意の経路で形成しても良い。
なお、上述した実施形態では、バルブボディカバー９０の開放面を自動変速機ケース１６の開放側面と合わせてバルブボディカバー９０を自動変速機ケース１６に取り付け、バルブボディカバー９０内部と自動変速機ケース１６内部が繋がっているときのオイルレベルよりも上方に配置されるソレノイドＳＬＵ，ＳＬＣ−１，ＳＬ１を冷却する場合について説明した。しかし、自動変速機ケース１６の側面が閉ざされており、その側面にバルブボディカバー９０を取り付ける場合は、自動変速機ケース１６内部のオイルレベルとバルブボディカバー９０内部のオイルレベルは異なることになるが、本発明を同様に適用することによりバルブボディカバー９０内部のオイルレベルよりも上方に配置されるソレノイドを冷却することができる。
【図面の簡単な説明】
【００３２】
【図１】本発明に係る自動変速機の制御装置により制御される自動変速機の実施形態のスケルトン図。
【図２】第１クラッチＣ−１を係脱する油圧サーボ装置を示す図。
【図３】油圧サーボ装置に油圧を給排するための油圧回路図。
【図４】油圧制御装置の側面断面図。
【図５】油圧制御装置の平面図。
【符号の説明】
【００３３】
１・・・油圧制御装置、９，９２，９３・・・冷却油路、１０・・・自動変速機、１１・・・トルクコンバータ、２６・・・油圧サーボ装置、２７・・・調圧弁、２９・・・切換弁、３２・・・リニアソレノイド調圧弁、３６，４９・・・弁体、４７・・・圧力制御弁、４８ａ，４８ｂ・・・ソレノイド弁、５１，５４〜５６・・・カットオフ弁、５２，５３・・・弁、６１，７１，８１・・・油路、９０・・・バルブボディカバー、ＳＬＣ−１〜ＳＬＣ−３，ＳＬＢ−１，ＳＬＴ，ＳＬ１，ＳＬ２・・・リニアソレノイド、Ｃ・・・クーラー。
【図１】
2010071335.tif 000003
【図２】
2010071335.tif 000004
【図３】
2010071335.tif 000005
【図４】
2010071335.tif 000006
【図５】
2010071335.tif 000007